(57)【要約】【課題】入力画像とは別のＯＳＤ画像等の画像を、入力画像とともに効果的に表示することが可能な表示装置、及び、表示装置の制御方法を提供する。【解決手段】プロジェクター１は、入力画像データＳ１に基づいて左目用画像の画像データと右目用画像の画像データとを出力する画像出力手段と、入力画像データＳ１とは別の画像データであるＯＳＤ画像データ１２ＡをＲＡＭ１１から読み出して、画像出力手段により出力される画像データのうち、左目用画像の画像データに対しては別画像データを左目用の位置に配置して合成する処理を行い、右目用画像の画像データに対しては別画像データを右目用の位置に配置して合成する処理を行う画像処理手段と、画像処理手段により処理された左目用画像データ及び右目用画像データに基づいて画像を表示する表示部４０と、を備える。【選択図】図１
2013251593.tif 000002
【特許請求の範囲】
【請求項１】
入力画像データに基づいて、左目用画像及び右目用画像を含む立体画像を表示する表示装置であって、
前記入力画像データに基づいて左目用画像の画像データと右目用画像の画像データとを出力する画像出力手段と、
前記入力画像データとは別の画像データである別画像データを記憶したメモリーと、
前記メモリーに記憶された前記別画像データを読み出して、前記画像出力手段により出力される画像データのうち、左目用画像の画像データに対しては前記別画像データを左目用の位置に配置して合成する処理を行い、右目用画像の画像データに対しては前記別画像データを右目用の位置に配置して合成する処理を行う画像処理手段と、
前記画像処理手段により処理された左目用画像データ及び右目用画像データに基づいて画像を表示する表示手段と、
を備えることを特徴とする表示装置。
【請求項２】
請求項１記載の表示装置であって、
前記画像出力手段により出力された画像データを一時的に記憶するバッファーを備え、
前記画像処理手段は、
左目用画像の画像データにおける前記別画像データの位置に関する情報と、右目用画像の画像データにおける前記別画像データの位置に関する情報とを保持したレジスターと、
前記レジスターに保持された前記別画像データの位置に関する情報を読み出し、前記バッファーに記憶された画像データに前記別画像データを配置する位置を決定する位置決定手段と、
前記バッファーに記憶された画像データに対し、前記位置決定手段により決定された位置に前記別画像データを配置して合成する処理を行う合成処理手段とを備えたこと、
を特徴とする表示装置。
【請求項３】
請求項２記載の表示装置であって、
前記画像出力手段は、左目用画像の画像データと右目用画像の画像データとを交互に出力し、出力中の画像データが左目用画像のデータであるか右目用画像のデータであるかを示す識別信号を出力し、
前記画像処理手段は、左目用画像の画像データに配置される前記別画像データの位置に関する情報を保持した第１のレジスター、及び、右目用画像の画像データに配置される前記別画像データの位置に関する情報を保持した第２のレジスターを備え、
前記位置決定手段は、前記識別信号に基づいて、前記別画像データの位置に関する情報を読み出す前記レジスターを切り換えることを特徴とする表示装置。
【請求項４】
請求項３記載の表示装置であって、
前記画像出力手段は、フレームシーケンシャル、ラインオルタナティブ形式またはサイドバイサイド形式の立体画像の画像データに基づき、左目用画像の画像データと右目用画像の画像データとを生成して交互に出力し、出力中の画像データが左目用画像のデータであるか右目用画像のデータであるかを示す識別信号を生成して出力することを特徴とする表示装置。
【請求項５】
入力画像データに基づいて、左目用画像及び右目用画像を含む立体画像を表示する表示装置の制御方法であって、
前記入力画像データに基づいて左目用画像の画像データと右目用画像の画像データとを出力し、
前記入力画像データとは別の画像データである別画像データを記憶したメモリーから前記別画像データを読み出して、左目用画像の画像データに対しては前記別画像データを左目用の位置に配置して合成する処理を行い、右目用画像の画像データに対しては前記別画像データを右目用の位置に配置して合成する処理を行い、
処理された左目用画像データ及び右目用画像データに基づいて画像を表示すること、
を特徴とする表示装置の制御方法。
【発明の詳細な説明】
【技術分野】
【０００１】
本発明は、画像を表示する表示装置、及び、表示装置の制御方法に関する。
【背景技術】
【０００２】
従来、入力画像を表示する表示装置が、表示中の画像に重ねて、入力画像とは別の画像を重ねて表示する機能を持つものが知られている（例えば、特許文献１参照）。この種の機能は、例えばＯＳＤ表示機能と呼ばれ、設定用のメニュー画面等が、ＯＳＤ画像として入力画像とともに表示される。特許文献１記載のように、一般的なＯＳＤ表示機能では、予め記憶しているＯＳＤ画像を入力画像に重畳させる。特許文献１記載の装置は、ＯＳＤ画像の色を画素単位で合成することにより、多様な色のＯＳＤ画像を表示する。
また、近年、３Ｄ（立体）画像を表示する表示装置が知られている。この種の表示装置は、メガネ型の偏光フィルターを利用する構成（例えば、特許文献２参照）や、表示面にレンチキュラーレンズを配した構成（例えば、特許文献３参照）によって、見る人の右目と左目に異なる画像を見せることで、立体感のある画像を表示する。
【先行技術文献】
【特許文献】
【０００３】
【特許文献１】特開２００８−２１６４６０号公報
【特許文献２】特開平７−２８４１２８号公報
【特許文献３】特開平５−３０４６８５号公報
【発明の概要】
【発明が解決しようとする課題】
【０００４】
ところで、ＯＳＤ表示機能のように入力画像とは別の画像を重ねて表示する機能について、入力画像が立体画像である場合にＯＳＤ画像等をどのように重ねて表示するかは、従来解決されていない課題であった。立体画像は、対をなす右目用の画像と左目用の画像とで構成される。これに対し、従来のＯＳＤ画像等は平面画像である。このため、平面画像どうしを重ねる場合と同じ方法で処理することはできないが、どのように立体画像に平面画像からなるＯＳＤ画像等を重ねるか等について検討された例は無かった。
また、立体画像を表示する表示装置の多くは平面画像の表示にも対応している。このため、入力画像が平面画像である場合と立体画像である場合とがある。しかしながら、入力画像が立体画像か平面画像かに応じて、画像を重畳する処理をどのように組み合わせるか等は検討がなされていなかった。
本発明は、上述した事情に鑑みてなされたものであり、入力画像とは別のＯＳＤ画像等の画像を、入力画像とともに効果的に表示することが可能な表示装置、及び、表示装置の制御方法を提供することを目的とする。
【課題を解決するための手段】
【０００５】
上記目的を達成するために、本発明は、入力画像データに基づいて、左目用画像及び右目用画像を含む立体画像を表示する表示装置であって、前記入力画像データに基づいて左目用画像の画像データと右目用画像の画像データとを出力する画像出力手段と、前記入力画像データとは別の画像データである別画像データを記憶したメモリーと、前記メモリーに記憶された前記別画像データを読み出して、前記画像出力手段により出力される画像データのうち、左目用画像の画像データに対しては前記別画像データを左目用の位置に配置して合成する処理を行い、右目用画像の画像データに対しては前記別画像データを右目用の位置に配置して合成する処理を行う画像処理手段と、前記画像処理手段により処理された左目用画像データ及び右目用画像データに基づいて画像を表示する表示手段と、を備えることを特徴とする。
本発明によれば、入力画像データに基づいて左目用画像の画像データと右目用画像の画像データとを出力して立体画像を表示する表示装置が、メモリーに記憶した別画像データを、左目用画像の画像データと右目用画像の画像データの各々に対し適切な位置に配置して合成できる。これにより、例えば立体画像である入力画像に、ＯＳＤ画像等の入力画像とは別の画像を、メモリーに記憶した一つの別画像データを用いて、画像を合成して表示できる。従って、別画像データを記憶するメモリーの容量が小さくて済むので、メモリーの利用効率の向上を図ることができる。また、左目用画像の画像データと右目用画像の画像データの各々において別画像データが配置される位置を個々に指定できるので、別画像を平面画像として表示することも、立体画像として表示することも可能であり、立体画像として表示する場合の視差を任意に調整することも容易である。従って、立体画像である入力画像に別の画像を合成して、効果的に表示できる。
【０００６】
また、本発明は、上記表示装置であって、前記画像出力手段により出力された画像データを一時的に記憶するバッファーを備え、前記画像処理手段は、左目用画像の画像データにおける前記別画像データの位置に関する情報と、右目用画像の画像データにおける前記別画像データの位置に関する情報とを保持したレジスターと、前記レジスターに保持された前記別画像データの位置に関する情報を読み出し、前記バッファーに記憶された画像データに前記別画像データを配置する位置を決定する位置決定手段と、前記バッファーに記憶された画像データに対し、前記位置決定手段により決定された位置に前記別画像データを配置して合成する処理を行う合成処理手段とを備えたこと、を特徴とする。
本発明によれば、左目用画像の画像データにおける別画像データの位置に関する情報と、右目用画像の画像データにおける別画像データの位置に関する情報とをレジスターから読み出して、読み出した情報に基づく位置に別画像データを配置して合成する。これにより、左目用画像の画像データと右目用画像の画像データの各々において、速やかに、適切な位置に別画像データを配置することができる。
【０００７】
また、本発明は、上記表示装置であって、前記画像出力手段は、左目用画像の画像データと右目用画像の画像データとを交互に出力し、出力中の画像データが左目用画像のデータであるか右目用画像のデータであるかを示す識別信号を出力し、前記画像処理手段は、左目用画像の画像データに配置される前記別画像データの位置に関する情報を保持した第１のレジスター、及び、右目用画像の画像データに配置される前記別画像データの位置に関する情報を保持した第２のレジスターを備え、前記位置決定手段は、前記識別信号に基づいて、前記別画像データの位置に関する情報を読み出す前記レジスターを切り換えることを特徴とする。
本発明によれば、交互に出力される左目用画像の画像データと右目用画像の画像データとの各々に対し、画像データが出力されるタイミングに合わせてレジスターを切り替える。これにより、左目用画像の画像データと右目用画像の画像データの各々に別画像データを配置する位置を決定する処理を、速やかに実行できる。
【０００８】
また、本発明は、上記表示装置であって、前記画像出力手段は、フレームシーケンシャル、ラインオルタナティブ形式またはサイドバイサイド形式の立体画像の画像データに基づき、左目用画像の画像データと右目用画像の画像データとを生成して交互に出力し、出力中の画像データが左目用画像のデータであるか右目用画像のデータであるかを示す識別信号を生成して出力することを特徴とする。
本発明によれば、フレームシーケンシャル、ラインオルタナティブ形式またはサイドバイサイド形式の立体画像の画像データに基づき交互に出力される左目用画像のデータと右目用画像の画像データの各々に対し、適切な位置に別画像データを配置して合成できる。
【０００９】
上記目的を達成するために、本発明は、入力画像データに基づいて、左目用画像及び右目用画像を含む立体画像を表示する表示装置の制御方法であって、前記入力画像データに基づいて左目用画像の画像データと右目用画像の画像データとを出力し、前記入力画像データとは別の画像データである別画像データを記憶したメモリーから前記別画像データを読み出して、左目用画像の画像データに対しては前記別画像データを左目用の位置に配置して合成する処理を行い、右目用画像の画像データに対しては前記別画像データを右目用の位置に配置して合成する処理を行い、処理された左目用画像データ及び右目用画像データに基づいて画像を表示すること、を特徴とする。
本発明によれば、入力画像データに基づいて左目用画像の画像データと右目用画像の画像データとを出力して立体画像を表示する表示装置が、メモリーに記憶した別画像データを、左目用画像の画像データと右目用画像の画像データの各々に対し適切な位置に配置して合成できる。これにより、例えば立体画像である入力画像に、ＯＳＤ画像等の入力画像とは別の画像を、メモリーに記憶した一つの別画像データを用いて、画像を合成して表示できる。また、左目用画像の画像データと右目用画像の画像データの各々において別画像データが配置される位置を個々に指定できるので、別画像を平面画像として表示することも、立体画像として表示することも可能であり、立体画像として表示する場合の視差を任意に調整することも容易である。従って、立体画像である入力画像に別の画像を合成して、効果的に表示できる。
【発明の効果】
【００１０】
本発明によれば、左目用画像の画像データと右目用画像の画像データの各々に対し、適切な位置に別の画像を配置して合成することができ、ＯＳＤ画像等の画像を入力画像とともに効果的に表示できる。
【図面の簡単な説明】
【００１１】
【図１】第１の実施形態に係るプロジェクターの機能ブロック図である。
【図２】プロジェクターの画像処理部の機能ブロック図である。
【図３】プロジェクターが処理するＶｓｙｎｃ信号と左右識別信号の出力状態を示すタイミングチャートである。
【図４】プロジェクターの画像処理部が出力する画像の例を示す図であり、（Ａ）は左目用画像の例を示し、（Ｂ）は右目用画像の例を示す。
【図５】プロジェクターの動作を示すフローチャートである。
【図６】第２の実施形態に係るプロジェクターの画像処理部の機能ブロック図である。
【図７】第３の実施形態に係るプロジェクターの画像処理部の機能ブロック図である。
【図８】第４の実施形態に係るプロジェクターの画像処理部の機能ブロック図である。
【発明を実施するための形態】
【００１２】
［第１の実施形態］
以下、図面を参照して本発明の実施形態について説明する。
図１は、第１の実施形態に係る表示装置としてのプロジェクター１の全体構成を示すブロック図である。プロジェクター１は、パーソナルコンピューターや各種映像プレーヤー等の外部の画像供給装置（図示略）に接続され、この画像供給装置から入力される入力画像データＳ１をスクリーンＳＣ等の投射面に投射する装置である。上記の画像供給装置としては、ビデオ再生装置、ＤＶＤ再生装置、テレビチューナー装置、ＣＡＴＶのセットトップボックス、ビデオゲーム装置等の映像出力装置、パーソナルコンピューター等が挙げられる。本実施形態では、画像供給装置から表示処理部１５に、動画像のデジタル画像データが入力画像データＳ１として入力される場合を例に挙げて説明する。このデジタル画像データには、画像データ自体とともに、当該デジタル画像データのフォーマット（立体映像のフォーマットや、フレームレート等を含む）に関する情報が含まれる。
プロジェクター１は、静止画像および動画像（映像）のいずれであっても表示可能である。以下の説明では、画像供給装置から入力される動画像を表示出力する場合を例に挙げて説明するが、以下の説明において入力画像データＳ１を表示する処理は、静止画像を表示する場合にもそのまま適用可能である。
また、本実施形態では、スクリーンＳＣはほぼ直立しており、スクリーン面は矩形形状とされている。
【００１３】
プロジェクター１は、大きく分けて光学的な画像の形成を行う表示部４０（表示手段）と、この表示部４０により表示する画像を電気的に処理する画像処理系とからなる。表示部４０は、光源部４１、光変調装置４２、及び投射光学系４３から構成されている。光源部４１は、キセノンランプ、超高圧水銀ランプ、ＬＥＤ等からなる光源を備えている。また、光源部４１は、光源が発した光を光変調装置４２に導くリフレクター及び補助リフレクターを備えていてもよく、投射光の光学特性を高めるためのレンズ群（図示略）、偏光板、或いは光源が発した光の光量を光変調装置４２に至る経路上で低減させる調光素子等を備えたものであってもよい。
光変調装置４２は、光源部４１から射出された光を画像データに基づいて変調する変調手段に相当する。光変調装置４２は、例えば、ＲＧＢの各色に対応した３枚の透過型または反射型の液晶ライトバルブを用いた方式、３枚のデジタルミラーデバイスを用いた方式等により構成される。また、光変調装置４２は、光源が発した白色光に含まれる光のうちＲＧＢの光を透過するカラーホイールと、１枚のデジタルミラーデバイス（ＤＭＤ）とを組み合わせたＤＭＤ方式により構成することもできる。本実施形態では、光変調装置４２を、液晶ライトバルブを用いた構成とする。光変調装置４２は、複数の画素をマトリクス状に配置した透過型液晶パネルを備え、これら複数の画素により画像を形成し、形成した画像によって光源が発した光を変調する。光変調装置４２は、後述する光変調装置駆動部１７によって駆動され、マトリクス状に配置された各画素における光の透過率を変化させることにより、画像を形成する。
【００１４】
投射光学系４３は、投射する画像の拡大・縮小および焦点の調整を行うズームレンズ、ズームの度合いを調整するズーム調整用モーター、フォーカスの調整を行うフォーカス調整用モーター等を備えている。投射光学系４３は、光変調装置４２で変調された光を、ズームレンズを用いてスクリーンＳＣ上に投射して結像させる。
表示部４０には、制御部１０の制御に従って投射光学系４３が備える各モーターを駆動する投射光学系駆動部１８、及び、制御部１０の制御に従って光源部４１が備える光源を駆動する光源駆動部１９が接続されている。
【００１５】
画像処理系は、プロジェクター１全体を統合的に制御する制御部１０を中心に構成され、制御部１０が処理するデータや制御部１０が実行するプログラム等を一時的に記憶するＲＡＭ１１、制御部１０が処理するデータや制御部１０により実行されるプログラム等を記憶した不揮発性記憶部１２、操作パネル５１及びリモコン受光部５２を介した操作を検出する入力処理部１３、制御部１０の制御に従って入力画像データＳ１を処理する表示処理部１５（画像処理手段）、及び、表示処理部１５から出力される映像信号に基づいて光変調装置４２を駆動して描画を行う光変調装置駆動部１７を備えている。
【００１６】
制御部１０は、不揮発性記憶部１２に記憶された制御プログラムを読み出して実行することにより、プロジェクター１の各部を制御する。制御部１０は、入力処理部１３から入力される操作信号に基づいて、ユーザーが行った操作の内容を検出し、この操作に応じて表示処理部１５、光変調装置駆動部１７、投射光学系駆動部１８及び光源駆動部１９を制御して、スクリーンＳＣに映像を投射させる。
【００１７】
ＲＡＭ１１は、ＤＲＡＭ等の揮発性の半導体記憶素子により構成され、プログラムやデータ等を記憶する。
不揮発性記憶部１２は、ＰＲＯＭ、ＥＥＰＲＯＭ、フラッシュメモリー等の半導体記憶素子、或いは磁気的記憶装置等により構成され、プログラムやデータを不揮発的に記憶する。不揮発性記憶部１２には、上記の制御プログラムやデータの他、ＯＳＤ画像データ１２Ａ（別画像データ）が記憶されている。ＯＳＤ画像データ１２Ａは、例えば、プロジェクター１の機能に係る設定を行うためのメニュー画像（設定用画像）など、入力画像データＳ１とは別の画像（別画像）の画像データであり、ＯＳＤ画像データ１２Ａは入力画像データＳ１に重畳して、スクリーンＳＣに表示される。不揮発性記憶部１２には複数のＯＳＤ画像データ１２Ａを記憶することも可能である。不揮発性記憶部１２に記憶されたＯＳＤ画像データ１２Ａのうち、スクリーンＳＣに表示するＯＳＤ画像データ１２Ａが、制御部１０によって読み出されて、ＲＡＭ１１に記憶される。表示処理部１５は、ＲＡＭ１１からＯＳＤ画像データ１２Ａを読み出して、入力画像データＳ１のフレーム毎の画像データにＯＳＤ画像データ１２Ａを重畳して合成する処理を行い、合成された画像を表示画像データＳ８として光変調装置駆動部１７に出力する。光変調装置駆動部１７が表示画像データＳ８に基づいて光変調装置４２の液晶パネルに描画を行うことにより、合成された画像がスクリーンＳＣに投射される。
【００１８】
プロジェクター１の本体には、ユーザーが操作を行うための各種スイッチ及びインジケーターランプを備えた操作パネル５１が配置されている。操作パネル５１は入力処理部１３に接続されており、入力処理部１３は、制御部１０の制御に従い、プロジェクター１の動作状態や設定状態に応じて操作パネル５１のインジケーターランプを適宜点灯或いは点滅させる。この操作パネル５１のスイッチが操作されると、操作されたスイッチに対応する操作信号が入力処理部１３から制御部１０に出力される。
また、プロジェクター１は、ユーザーが使用するリモコン５を有する。リモコン５は各種のボタンを備えており、これらのボタンの操作に対応して赤外線信号を送信する。プロジェクター１の本体には、リモコン５が発する赤外線信号を受光するリモコン受光部５２が配置されている。リモコン受光部５２は、リモコン５から受光した赤外線信号をデコードして、リモコン５における操作内容を示す操作信号を生成し、制御部１０に出力する。
【００１９】
図２は、表示処理部１５の構成を詳細に示す機能ブロック図である。
表示処理部１５は、外部の画像供給装置（図示略）に接続されている。表示処理部１５は、制御部１０の制御に従って、画像供給装置から入力される入力画像データＳ１に基づいて表示画像データＳ８を生成し、光変調装置駆動部１７に出力する。
表示処理部１５は、入力画像データＳ１に基づいて出力画像データＳ２を出力する画像出力部２１（画像出力手段）と、画像出力部２１が出力する出力画像データＳ２を一時的に格納する画像バッファー２３（バッファー）と、画像バッファー２３に格納された出力画像データＳ２にＯＳＤ画像データ１２Ａを重畳する処理等を行う画像処理部３０と、を備えている。また、表示処理部１５は、ＲＡＭ１１からＯＳＤ画像データ１２Ａを読み出すＯＳＤ読出部２５と、ＯＳＤ読出部２５により読み出されたＯＳＤ画像データ１２Ａを一時的に格納するＯＳＤ画像バッファー２７と、ＯＳＤ画像バッファー２７に格納されたＯＳＤ画像データ１２Ａを適切なタイミングで読み出し、画像処理部３０に出力するバッファー制御部２９と、を備えている。
【００２０】
画像出力部２１は、入力画像データＳ１をフレーム毎に分離して、出力画像データＳ２として画像バッファー２３に出力する。本実施形態では、入力画像データＳ１はフレームシーケンシャル形式の立体画像データであるものとする。この場合、左目用画像のフレームと右目用画像のフレームとが交互に画像出力部２１に入力される。画像出力部２１は、入力された入力画像データＳ１のフレームを順次、画像バッファー２３に出力する。
また、画像出力部２１は、入力画像データＳ１とともに含まれるクロック信号に従って、Ｖｓｙｎｃ信号Ｓ３と左右識別信号Ｓ４とを生成して、画像処理部３０に出力する。
【００２１】
図３は、プロジェクター１が処理するＶｓｙｎｃ信号Ｓ３と左右識別信号Ｓ４の出力状態を示すタイミングチャートである。
図３（Ａ）はＶｓｙｎｃ信号Ｓ３を示す。Ｖｓｙｎｃ信号Ｓ３は入力画像データＳ１の垂直同期信号である。また、図３（Ｂ）は左右識別信号Ｓ４を示す。左右識別信号Ｓ４は、入力画像データＳ１の各フレームが左目用の画像であるか、右目用の画像であるかを示す信号である。例えば、左右識別信号Ｓ４がHighの間に出力されるフレームは左目用の画像であり、左右識別信号Ｓ４がLowの間に出力されるフレームは右目用の画像である。左右識別信号Ｓ４はＶｓｙｎｃ信号Ｓ３に同期して、入力画像データＳ１とともに表示処理部１５に入力される。画像出力部２１は、画像バッファー２３に出力画像データＳ２を出力する際に、この出力画像データＳ２の各フレームに同期してＶｓｙｎｃ信号Ｓ３及び左右識別信号Ｓ４を出力する。
【００２２】
ＯＳＤ読出部２５（図２）は、ＲＡＭ１１に記憶されたＯＳＤ画像データ１２Ａを読み出す。ＲＡＭ１１には、不揮発性記憶部１２（図１）に記憶された１または複数のＯＳＤ画像データ１２Ａのうち、スクリーンＳＣに表示する対象として制御部１０により指定されたＯＳＤ画像データ１２Ａが記憶されている。ＯＳＤ読出部２５は、ＲＡＭ１１からＯＳＤ画像データ１２Ａを読み出してＯＳＤ画像バッファー２７に出力し、このＯＳＤ画像データ１２ＡはＯＳＤ画像バッファー２７に記憶される。バッファー制御部２９は、画像処理部３０からの要求に応じて、ＯＳＤ画像バッファー２７に記憶されたＯＳＤ画像データ１２Ａを読み出して、画像処理部３０に出力する。
【００２３】
画像処理部３０は、画像バッファー２３に格納された出力画像データＳ２の画像データと、バッファー制御部２９から入力されるＯＳＤ画像データ１２Ａとを合成して表示画像データＳ８を生成する合成処理部３１（合成処理手段）と、出力画像データＳ２の画像データにおいてＯＳＤ画像データ１２Ａを配置する位置を決定する位置決定部３５（位置決定手段）と、左目用の画像におけるＯＳＤ画像データ１２Ａの位置を指定する情報を記憶したレジスター（第１のレジスター）３６と、右目用の画像におけるＯＳＤ画像データ１２Ａの位置を指定する情報を記憶したレジスター（第２のレジスター）３７と、を備えている。
レジスター３６は、左目用のフレームの画像データにＯＳＤ画像データ１２Ａを配置する位置の情報として、例えば、ＯＳＤ画像データ１２Ａの左上隅の座標を保持している。この座標は、例えば、左目用のフレームの左上隅を原点として設定される直交座標系である。レジスター３７も同様に、右目用のフレームの画像データにＯＳＤ画像データ１２Ａを配置する位置の情報として、例えば、ＯＳＤ画像データ１２Ａの左上隅の座標を保持している。
【００２４】
図４は、画像処理部３０が出力する表示画像データＳ８に基づいて表示される画像の例を示す図であり、（Ａ）は左目用のフレームの例を示し、（Ｂ）は右目用のフレームの例を示す。
図４（Ａ）及び（Ｂ）に示す例では、左目用のフレーム１０１と右目用のフレーム１０３において、異なる位置にＯＳＤ画像１０５が配置されている。フレーム１０１におけるＯＳＤ画像１０５の位置は、フレーム１０１の左上隅を原点とする（ｘ、ｙ）座標系において、（ｘ１、ｙ１）に設定されている。また、フレーム１０３におけるＯＳＤ画像１０５の位置は、フレーム１０３の左上隅を原点とする（ｘ、ｙ）座標系において、（ｘ２、ｙ２）に設定されている。この図４の例では、ＯＳＤ画像１０５の位置に視差が設けられている。つまり、画像処理部３０は、同一の画像（ＯＳＤ画像１０５）を左目用のフレーム１０１及び右目用のフレーム１０３に合成（重畳）している。また、左目用のフレーム１０１においてＯＳＤ画像１０５が合成される位置と、右目用のフレーム１０３においてＯＳＤ画像１０５が合成される位置は異なっている。このため、フレーム１０１、１０３がスクリーンＳＣに投射された投射画像を、例えばメガネ型の偏光フィルターを装着した人が見れば、ＯＳＤ画像が立体的に見える。
また、フレーム１０１におけるＯＳＤ画像１０５の位置と、フレーム１０３におけるＯＳＤ画像１０５の位置に視差を設けない場合には、スクリーンＳＣに投射された投射画像において、ＯＳＤ画像１０５は平面画像として見える。このように、プロジェクター１は、入力画像データＳ１が立体画像の画像データである場合に、ＯＳＤ画像１０５を平面画像として表示することも、立体画像として表示することも可能である。
【００２５】
位置決定部３５は、画像出力部２１から入力されるＶｓｙｎｃ信号Ｓ３に基づいて、画像バッファー２３から画像を読み出すタイミングと、バッファー制御部２９に対してＯＳＤ画像データ１２Ａを要求するタイミングとを決定し、合成処理部３１に出力する。
また、位置決定部３５は、Ｖｓｙｎｃ信号Ｓ３及び左右識別信号Ｓ４に従って、合成処理部３１が合成を行う画像が左目用の画像であるか右目用の画像であるかを判定する。位置決定部３５は、レジスター３６、３７のうち、判定した側に対応するレジスターから、ＯＳＤ画像データ１２Ａの位置を指定する情報を取得して、合成処理部３１に出力する。すなわち、位置決定部３５は、画像バッファー２３から次に取得される画像データが左目用のフレームの画像データである場合、レジスター３６から情報を取得し、取得した情報が示す位置を合成処理部３１に対して指定する。また、画像バッファー２３から次に取得される画像データが右目用のフレームの画像データである場合は、位置決定部３５はレジスター３７から情報を取得し、取得した情報が示す位置を合成処理部３１に対して指定する。
【００２６】
合成処理部３１は、位置決定部３５により指定されたタイミングで画像バッファー２３から出力画像データＳ２の１フレーム分の画像データを取得するとともに、バッファー制御部２９によりＯＳＤ画像バッファー２７内のＯＳＤ画像データ１２Ａを取得する。合成処理部３１は、図示しないフレームメモリーに、１フレーム分の画像データを展開し、この画像データに重ねてＯＳＤ画像データ１２Ａを描画することにより、画像を合成（重畳）する。そして、合成処理部３１は、合成した画像の画像データをフレームメモリーから読み出して、表示画像データＳ８として光変調装置駆動部１７（図１）に出力する。
【００２７】
なお、本実施形態において、ＯＳＤ画像データ１２Ａに基づくＯＳＤ画像の背景は透明であってもよいし不透明であってもよい。ＯＳＤ画像が透明または半透明である場合、ＯＳＤ画像の背後の画像が透けて見えるように表示することが可能である。しかしながら、入力画像データＳ１を立体画像として表示し、ＯＳＤ画像を平面画像として表示する場合には、ＯＳＤ画像と背後の画像の見え方が一致しない。このような場合には、ＯＳＤ画像の背景を不透明にすることで、画像の見え方をより自然な印象とすることができ、好ましい。
【００２８】
図５は、プロジェクター１の動作を示すフローチャートである。
まず、画像出力部２１が、制御部１０の制御に従って、入力画像データＳ１に基づいて左目用画像の画像データと右目用画像の画像データとを含む出力画像データＳ２を出力して画像バッファー２３に格納させるとともに、Ｖｓｙｎｃ信号Ｓ３及び左右識別信号Ｓ４を位置決定部３５に出力する（ステップＳＴ１）。また、制御部１０が、不揮発性記憶部１２からＯＳＤ画像データ１２Ａを読み出して、ＲＡＭ１１に記憶させる（ステップＳＴ２）。このステップＳＴ１２の処理は、入力画像データＳ１が入力される前に実行してもよい。
続いて、制御部１０の制御により、ＯＳＤ読出部２５が、ＲＡＭ１１からＯＳＤ画像データ１２Ａを読み出して、ＯＳＤ画像バッファー２７に格納する（ステップＳＴ３）。
【００２９】
ここで、位置決定部３５が、Ｖｓｙｎｃ信号Ｓ３及び左右識別信号Ｓ４に基づいて、次に画像バッファー２３から読み出される画像データが左目用か右目用かを判定する（ステップＳＴ４）。
画像バッファー２３から次に読み出される画像データが左目用である場合、位置決定部３５は、左目用のレジスター３６からＯＳＤ画像データ１２Ａの位置を示す情報を取得し、この位置を合成処理部３１に対して指定する（ステップＳＴ５）。合成処理部３１は、画像バッファー２３から取得した画像データの指定された位置にＯＳＤ画像データ１２Ａを重畳する処理を行い、合成した表示画像データＳ８を光変調装置駆動部１７に出力する（ステップＳＴ６）。その後、表示画像データＳ８に基づいて表示部４０がスクリーンＳＣに画像を表示する（ステップＳＴ７）。
【００３０】
一方、画像バッファー２３から次に読み出される画像データが右目用である場合、位置決定部３５は、右目用のレジスター３７からＯＳＤ画像データ１２Ａの位置を示す情報を取得し、この位置を合成処理部３１に対して指定する（ステップＳＴ８）。合成処理部３１は、画像バッファー２３から取得した画像データの指定された位置にＯＳＤ画像データ１２Ａを重畳する処理を行い、合成した表示画像データＳ８を光変調装置駆動部１７に出力し（ステップＳＴ９）、ステップＳＴ７に移行する。
【００３１】
以上のように、本発明を適用した第１の実施形態に係るプロジェクター１は、入力画像データＳ１に基づいて、左目用画像及び右目用画像を含む立体画像を表示するプロジェクター１であって、入力画像データＳ１に基づいて左目用画像の画像データと右目用画像の画像データとを出力する画像出力部２１と、入力画像データＳ１とは別の画像データであるＯＳＤ画像データ１２Ａを記憶したＲＡＭ１１と、ＲＡＭ１１に記憶されたＯＳＤ画像データ１２Ａを読み出して、画像出力部２１により出力される出力画像データＳ２のうち、左目用画像の画像データに対しては別画像データを左目用の位置に配置して合成する処理を行い、右目用画像の画像データに対しては別画像データを右目用の位置に配置して合成する処理を行う画像処理部３０と、画像処理部３０により処理された左目用画像データ及び右目用画像データに基づいて画像を表示する表示部４０と、を備えることを特徴とする。これにより、プロジェクター１は、ＯＳＤ画像データ１２Ａを左目用画像の画像データと右目用画像の画像データの各々に対し適切な位置に配置して合成するので、一つのＯＳＤ画像データ１２Ａを利用して、立体画像である入力画像データＳ１にＯＳＤ画像を重畳して表示できる。従って、ＯＳＤ画像データ１２Ａを記憶するＲＡＭ１１の容量が小さくて済むので、ＲＡＭ１１の利用効率の向上を図ることができる。また、左目用画像の画像データと右目用画像の画像データの各々において別画像データが配置される位置を個々に指定できるので、ＯＳＤ画像を平面画像として表示することも、立体画像として表示することも可能である。さらに、ＯＳＤ画像を立体画像として表示する場合の視差を任意に調整することも容易である。このように、プロジェクター１は、立体画像である入力画像に別の画像を合成して、効果的に表示できる。
【００３２】
また、プロジェクター１は、画像出力部２１により出力された画像データを一時的に記憶する画像バッファー２３を備え、画像処理部３０は、左目用画像の画像データにおけるＯＳＤ画像データ１２Ａの位置に関する情報と、右目用画像の画像データにおけるＯＳＤ画像データ１２Ａの位置に関する情報とを保持したレジスター３６、３７と、レジスター３６、３７に保持されたＯＳＤ画像データ１２Ａの位置に関する情報を読み出し、ＯＳＤ画像データ１２Ａを配置する位置を決定する位置決定部３５と、画像バッファー２３に記憶された画像データに対し、位置決定部３５により決定された位置にＯＳＤ画像データ１２Ａを配置して合成する処理を行う合成処理部３１と、を備えている。これにより、左目用画像の画像データと右目用画像の画像データの各々において、速やかに、適切な位置にＯＳＤ画像データ１２Ａを配置することができる。
【００３３】
さらに、画像出力部２１は、左目用画像の画像データと右目用画像の画像データとを交互に出力し、出力中の画像データが左目用画像のデータであるか右目用画像のデータであるかを示す左右識別信号Ｓ４を出力し、画像処理部３０は、左目用画像の画像データに配置される別画像データの位置に関する情報を保持したレジスター３６、３７、及び、右目用画像の画像データに配置される別画像データの位置に関する情報を保持したレジスター３６、３７を備え、位置決定部３５は、左右識別信号Ｓ４に基づいて、ＯＳＤ画像データ１２Ａの位置に関する情報を読み出すレジスター３６、３７を切り換える。これにより、左目用画像の画像データと右目用画像の画像データの各々にＯＳＤ画像データ１１Ａを配置する位置を決定する処理を、速やかに実行できる。
【００３４】
［第２の実施形態］
図６は、本発明を適用した第２の実施形態に係る表示処理部１５Ａの構成を示す機能ブロック図である。
この第２の実施形態では、画像供給装置（図示略）から入力される入力画像データＳ１が、サイドバイサイド形式の立体画像データである場合を例に挙げて説明する。なお、この第２の実施形態の構成は、入力画像データＳ１がトップアンドボトム形式の立体画像である場合にも容易に適用可能である。
【００３５】
図６に示す表示処理部１５Ａは、図１に示した表示処理部１５に代えて、プロジェクター１を構成する。なお、本第２の実施形態において、第１の実施形態と同様に構成される各部については同符号を付して説明を省略する。
表示処理部１５Ａは、画像出力部２１（図２）に代えて画像出力部２１Ａを備えている。画像出力部２１Ａは、入力画像データＳ１を構成する各フレームを分割して、左目用のフレームの画像データと右目用のフレームの画像データをとを生成する機能を有する。サイドバイサイド形式の画像は、１フレームの右半分が右目用の画像であり、１フレームの左半分が左目用の画像となっている。サイドバイサイド形式の画像を立体画像として表示するためには、１フレームを右半分と左半分に分離し、分離した各々の画像を横方向に拡大する処理を行い、右目用のフレームと左目用のフレームとを生成する必要がある。
画像出力部２１Ａは、入力画像データＳ１のフレームを分離した左半分のフレームを、出力画像データＳ５として画像バッファー２２に出力する。つまり、画像バッファー２２は左目用のバッファーメモリーであり、画像バッファー２２には入力画像データＳ１から抽出された左目用のフレームの画像データが順次格納される。また、画像出力部２１Ａは、入力画像データＳ１のフレームを分離した右半分のフレームを、出力画像データＳ６として画像バッファー２４に出力する。つまり、画像バッファー２４は右目用のバッファーメモリーであり、画像バッファー２４には、入力画像データＳ１から抽出された左目用のフレームの画像データが順次格納される。
【００３６】
さらに、画像出力部２１Ａは、Ｖｓｙｎｃ信号Ｓ７を生成して、画像処理部３０Ａに出力する。Ｖｓｙｎｃ信号Ｓ７は、入力画像データＳ１とともに入力される垂直同期信号に基づいて、画像出力部２１Ａが生成した垂直同期信号である。入力画像データＳ１がサイドバイサイド形式の画像データである場合、画像出力部２１Ａによって各フレームが分離されたことでフレーム数が２倍となるので、全てのフレームを表示するために垂直同期周波数が２倍にされる。画像出力部２１Ａは、入力画像データＳ１の垂直同期周波数の２倍の周波数を有するＶｓｙｎｃ信号Ｓ７を生成し、画像処理部３０Ａが有する位置決定部３５に出力する。
【００３７】
画像処理部３０Ａは、画像処理部３０（図２）に代えて設けられたものである。画像処理部３０Ａは、画像処理部３０と同様に位置決定部３５、レジスター３６、３７の各部を備えるほか、合成処理部３１と同様に画像データにＯＳＤ画像データ１２Ａを合成する２つの合成処理部３２、３３を備えている。合成処理部３２は、画像バッファー２２に格納された左目用の画像データにＯＳＤ画像データ１２Ａを合成する処理を行う。一方、合成処理部３４は、画像バッファー２４に格納された右目用の画像データにＯＳＤ画像データ１２Ａを合成する処理を行う。
【００３８】
位置決定部３５は、Ｖｓｙｎｃ信号Ｓ７に従って、合成処理部３２、３４の各々に対し、画像バッファー２２、２４から画像データを取得するタイミングと、バッファー制御部２９によりＯＳＤ画像バッファー２７内のＯＳＤ画像データ１２Ａを取得するタイミングとを指定する。
また、位置決定部３５は、レジスター３６から左目用のフレームにおけるＯＳＤ画像データ１２Ａの位置を示す情報を読み出し、この位置を合成処理部３２に対して指定する。同様に、位置決定部３５は、レジスター３７から右目用のフレームにおけるＯＳＤ画像データ１２Ａの位置を示す情報を読み出し、この位置を合成処理部３４に対して指定する。
【００３９】
この構成により、表示処理部１５Ａは、制御部１０の制御に従って以下の動作を実行する。まず、画像出力部２１Ａによって、入力画像データＳ１から左目用のフレームの画像データである出力画像データＳ５と右目用のフレームの画像データである出力画像データＳ６とを生成する。出力画像データＳ５は画像バッファー２２に順次格納され、出力画像データＳ６は画像バッファー２４に順次格納される。
一方、ＯＳＤ読出部２５は、ＲＡＭ１１からＯＳＤ画像データ１２Ａを読み出して、ＯＳＤ画像バッファー２７に格納する。このＯＳＤ画像バッファー２７に格納されたＯＳＤ画像データ１２Ａは、画像処理部３０Ａからの要求に応じてバッファー制御部２９によって読み出され、画像処理部３０Ａの合成処理部３２、３４に出力される。
合成処理部３２は、位置決定部３５により指定されたタイミングで画像バッファー２２から出力画像データＳ５を取得する一方、バッファー制御部２９から入力されるＯＳＤ画像データ１２Ａを取得する。合成処理部３４は、位置決定部３５により指定されたタイミングで画像バッファー２４から出力画像データＳ６を取得する一方、バッファー制御部２９から入力されるＯＳＤ画像データ１２Ａを取得する。
【００４０】
ここで、合成処理部３２、３４は、画像バッファー２２、２４から取得した画像データの解像度を変換する処理を行う。すなわち、画像バッファー２２、２４から取得された画像データは入力画像データＳ１のフレームを半分にしたものであるから、横（水平）方向の解像度が半分になっている。そこで、合成処理部３２、３４は、ＯＳＤ画像データ１２Ａを合成する前に、画像バッファー２２、２４から取得した画像データの水平方向の解像度が２倍になるように、画素の補間等により解像度を変換する処理を行う。この処理によって画像バッファー２２、２４から取得した画像データが水平方向に拡大されて、本来のアスペクト比の画像データとなる。また、レジスター３６、３７に保持されている情報は、拡大された画像データにおけるＯＳＤ画像データ１２Ａの位置を指定する情報である。従って、合成処理部３２、３４が画像データを拡大してからＯＳＤ画像データ１２Ａを合成する処理を行うことが望ましい。
なお、ＯＳＤ画像データ１２Ａが、水平方向の解像度が半分になるよう圧縮されたデータであって、レジスター３６、３７に、水平方向の解像度が半分になった状態におけるＯＳＤ画像データ１２Ａの位置を指定する情報が保持されている場合は、合成処理部３２、３４は画像データを拡大する前に合成を行う。
【００４１】
そして、合成処理部３２は、位置決定部３５によって指定された位置に、ＯＳＤ画像データ１２Ａを配置して合成する処理を行う。また、合成処理部３４は、位置決定部３５によって指定された位置に、ＯＳＤ画像データ１２Ａを配置して合成する処理を行う。
合成処理部３２、３４により合成された画像データは、合成処理部３２、３４から交互に出力される。このため、画像処理部３０Ａは、左目用のフレームの画像データと右目用のフレームの画像データとを、表示画像データＳ８として交互に出力する。これにより、表示処理部１５Ａを備えたプロジェクター１は、上記第１の実施形態で説明した例と同様に、立体画像にＯＳＤ画像を重畳して、スクリーンＳＣに表示できる。
【００４２】
このように、本発明を適用した第２の実施形態によれば、プロジェクター１は、サイドバイサイド形式の画像データが入力画像データＳ１として入力された場合に、この入力画像データＳ１から左目用のフレームの画像データと右目用のフレームの画像データとを生成し、各画像データにＲＡＭ１１に記憶した一つのＯＳＤ画像データ１２Ａを合成してスクリーンＳＣに表示できる。従って、第１の実施形態と同様に、ＯＳＤ画像データ１２Ａを記憶するＲＡＭ１１の容量が小さくて済むので、ＲＡＭ１１の利用効率の向上を図ることができる。また、左目用画像の画像データと右目用画像の画像データの各々において別画像データが配置される位置を個々に指定できるので、ＯＳＤ画像を平面画像として表示することも、立体画像として表示することも可能である。さらに、ＯＳＤ画像を立体画像として表示する場合の視差を任意に調整することも容易である。このように、プロジェクター１は、立体画像である入力画像に別の画像を合成して、効果的に表示できる。
さらに、図６に示した構成では、左目用のフレームの画像データを合成処理部３２により処理し、右目用のフレームの画像データを合成処理部３４によって処理するので、より高速に合成処理を行うことが可能である。このため、サイドバイサイド形式の画像が入力され、入力画像データＳ１のフレームを分離する処理や解像度変換の処理を要する場合であっても、表示の遅延を抑え、スムーズに画像をスクリーンＳＣに表示できる。また、高速で入力画像データＳ１を処理できることから、垂直同期周波数を２倍に高める倍速駆動や４倍に高める４倍速駆動等を行う場合にも対応可能であり、より高品質の画像をスクリーンＳＣに表示できる。
【００４３】
［第３の実施形態］
図７は、本発明を適用した第３の実施形態に係る表示処理部１５Ｂの構成を示す機能ブロック図である。
この第３の実施形態では、画像供給装置（図示略）から入力される入力画像データＳ１が、サイドバイサイド形式の立体画像データである場合を例に挙げて説明する。なお、この第３の実施形態の構成は、入力画像データＳ１がトップアンドボトム形式の立体画像である場合にも容易に適用可能である。
【００４４】
図７に示す表示処理部１５Ｂは、図１に示した表示処理部１５に代えて、プロジェクター１を構成する。なお、本第３の実施形態において、第１及び第２の実施形態と同様に構成される各部については同符号を付して説明を省略する。
表示処理部１５Ｂは、画像出力部２１（図２）に代えて画像出力部２１Ｂを備えている。画像出力部２１Ｂは、画像出力部２１Ａ（図６）と同様に、入力画像データＳ１を構成する各フレームを分割して、左目用のフレームの画像データと右目用のフレームの画像データをとを生成する機能を有する。画像出力部２１Ｂは、入力画像データＳ１のフレームを分離した左半分のフレームと、入力画像データＳ１のフレームを分離した右半分のフレームとを、交互に出力画像データＳ９として拡大処理部２６に出力する。
【００４５】
さらに、画像出力部２１Ｂは、Ｖｓｙｎｃ信号Ｓ７を生成して、画像処理部３０Ａに出力する。Ｖｓｙｎｃ信号Ｓ７は画像出力部２１Ａが生成した垂直同期信号であり、サイドバイサイド形式の画像データを分離したことに合わせて、入力画像データＳ１の垂直同期周波数に比べて２倍の垂直同期周波数となっている。画像出力部２１Ｂは、Ｖｓｙｎｃ信号Ｓ７を生成し、拡大処理部２６に出力中の画像データが左目用のフレームであるか右目用のフレームであるかを示す左右識別信号Ｓ４とともに、画像処理部３０に出力する。
【００４６】
拡大処理部２６は、画像出力部２１Ｂが出力した出力画像データＳ９に含まれる各フレームの画像データの解像度を変換する処理を行う。画像出力部２１Ｂが出力する画像データは入力画像データＳ１のフレームを半分にしたものであるため、拡大処理部２６は、この画像データの水平方向の解像度が２倍になるように、画素の補間等により解像度を変換する処理を行う。処理後の画像データは入力画像データＳ１と同じ解像度を有する画像データとなり、出力画像データＳ１１として画像バッファー２３に出力される。
画像バッファー２３は、拡大処理部２６から入力される出力画像データＳ１１を一時的に格納する。
【００４７】
画像処理部３０は、上記第１の実施形態で説明したものである。画像処理部３０は、合成処理部３１、位置決定部３５、及びレジスター３６、３７の各部を備え、画像バッファー２３に格納された出力画像データＳ１１をフレーム毎に取得して、ＯＳＤ画像データ１２Ａを重畳して合成する処理を行い、表示画像データＳ８として光変調装置駆動部１７に出力する。
【００４８】
このように、本発明を適用した第３の実施形態によれば、プロジェクター１は、サイドバイサイド形式の画像データが入力画像データＳ１として入力された場合に、この入力画像データＳ１から左目用のフレームの画像データと右目用のフレームの画像データとを生成し、各画像データにＲＡＭ１１に記憶した一つのＯＳＤ画像データ１２Ａを合成してスクリーンＳＣに表示できる。従って、第１の実施形態と同様に、ＯＳＤ画像データ１２Ａを記憶するＲＡＭ１１の容量が小さくて済むので、ＲＡＭ１１の利用効率の向上を図ることができる。また、左目用画像の画像データと右目用画像の画像データの各々において別画像データが配置される位置を個々に指定できるので、ＯＳＤ画像を平面画像として表示することも、立体画像として表示することも可能である。さらに、ＯＳＤ画像を立体画像として表示する場合の視差を任意に調整することも容易である。このように、プロジェクター１は、立体画像である入力画像に別の画像を合成して、効果的に表示できる。
【００４９】
さらに、図７に示した構成では、入力画像データＳ１に基づいて生成した左目用のフレームと右目用のフレームに対し、拡大処理部２６によって解像度を拡大する処理を行う。このため、拡大処理部２６が出力する出力画像データＳ１１は、フレームシーケンシャル形式の立体画像データの各フレームと同様に処理することができる。従って、１つの合成処理部３１を有する画像処理部３０を用いて、サイドバイサイド形式の入力画像データＳ１にＯＳＤ画像データ１２Ａを重畳して、スクリーンＳＣに表示できる。
【００５０】
［第４の実施形態］
図８は、本発明を適用した第４の実施形態に係る表示処理部１５Ｃの構成を示す機能ブロック図である。
この第４の実施形態では、画像供給装置（図示略）から入力される入力画像データＳ１がフレームシーケンシャル形式の立体画像データである場合を例に挙げて説明する。
【００５１】
図８に示す表示処理部１５Ｃは、図１に示した表示処理部１５に代えて、プロジェクター１を構成する。なお、本第４の実施形態において、上述した第１、第２及び第３の実施形態と同様に構成される各部については同符号を付して説明を省略する。
表示処理部１５Ｃは、図２に示した画像出力部２１、画像バッファー２３、ＯＳＤ読出部２５、ＯＳＤ画像バッファー２７、及びバッファー制御部２９を備えている。
また、表示処理部１５Ｃは、画像処理部３０Ａを備えている。画像処理部３０Ａは、２つの合成処理部３２、３４と、位置決定部３５と、レジスター３６、３７とを備えて構成される。
本実施形態では、合成処理部３２、３４が、それぞれ画像バッファー２３から画像データをフレーム毎に取得する。画像バッファー２３には、画像出力部２１から左目用のフレームの画像データと右目用のフレームの画像データとが交互に入力され、格納される。合成処理部３２は、画像バッファー２３から左目用のフレームの画像データを取得し、合成処理部３４は画像バッファー２３から右目用のフレームの画像データを取得するので、合成処理部３２、３４は交互に画像データを取得するといえる。
【００５２】
合成処理部３２、３４は、バッファー制御部２９によりＯＳＤ画像データ１２Ａを取得し、画像バッファー２３から取得した画像データにおいて位置決定部３５により指定された位置にＯＳＤ画像データ１２Ａを配置して、合成する。合成処理部３２により合成された画像データと、合成処理部３４により合成された画像データとは交互に出力されるので、表示画像データＳ８としては、左目用のフレームの画像データと右目用のフレームの画像データとが交互に出力される。この表示画像データＳ８に基づき、光変調装置駆動部１７が光変調装置４２を駆動することで、プロジェクター１は、上記第１の実施形態で説明した例と同様に、立体画像にＯＳＤ画像を重畳して、スクリーンＳＣに表示できる。
【００５３】
この図８に示す構成では、フレームシーケンシャル形式の立体画像データである入力画像データＳ１に対し、２つの合成処理部３２、３４によってＯＳＤ画像データ１２Ａを合成する処理を行う。このため、画像データをフレームメモリーに描画・展開し、これに重畳してＯＳＤ画像データ１２Ａを描画・展開する処理がボトルネックになることがない。
従って、垂直同期周波数を高める倍速駆動、４倍速駆動等を行う場合であっても全フレームにＯＳＤ画像データ１２Ａを合成することが可能であり、より高品質の画像をスクリーンＳＣに表示できる。
【００５４】
さらに、図８に示した構成において、合成処理部３２、３４の一方のみを使用して、第１の実施形態で説明した動作を実行させることも可能である。この場合、例えば合成処理部３２が、合成処理部３１（図２）と同様に、画像バッファー２３に格納された全てのフレームの画像データに対してＯＳＤ画像データ１２Ａを合成する処理を行う。この場合、位置決定部３５は、レジスター３６、３７から読み出した情報に基づいて、ＯＳＤ画像データ１２Ａを配置する位置を指定する情報を、合成処理部３２に連続して出力する。
そして、プロジェクター１が倍速駆動や４倍速駆動を行う場合など、ＯＳＤ画像データ１２Ａを合成する処理を特に高速に実行する必要が生じた場合に、合成処理部３２、３４の両方を用い、上述のように、左目用のフレームの画像データと右目用のフレームの画像データとを別の合成処理部３２、３４により処理する構成とすることができる。
【００５５】
さらに、合成処理部３２、３４の一方のみを使用してＯＳＤ画像データ１２Ａを合成する動作モードと、合成処理部３２、３４の両方を使用してＯＳＤ画像データ１２Ａを合成する動作モードとを、制御部１０の制御により切り替える構成としてもよい。この場合、制御部１０は、プロジェクター１が倍速駆動や４倍速駆動を行う場合など、ＯＳＤ画像データ１２Ａを合成する処理を特に高速に実行する必要があるか否かに応じて、動作モードを切り替えてもよい。また、制御部１０は、ＯＳＤ画像データ１２Ａのサイズや入力画像データＳ１の解像度により、ＯＳＤ画像データ１２Ａを合成する処理の負荷が高いか否かを判定し、この判定結果に応じて、動作モードを切り替える構成としてもよい。
【００５６】
なお、上述した各実施形態は本発明を適用した具体的態様の例に過ぎず、本発明を限定するものではなく、上記の各実施形態とは異なる態様として本発明を適用することも可能である。また、上記各実施形態では、表示部４０が備える光変調装置４２が、光源が発した光を変調する変調手段としてＲＧＢの各色に対応した３枚の透過型または反射型の光変調装置４２を用いた構成を例に挙げて説明したが、本発明はこれに限定されるものではなく、例えば、１枚の液晶パネルとカラーホイールを組み合わせた方式、３枚のデジタルミラーデバイス（ＤＭＤ）を用いた方式、１枚のデジタルミラーデバイスとカラーホイールを組み合わせたＤＭＤ方式等により構成してもよい。ここで、変調手段として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
また、上記各実施形態においては、入力画像データＳ１がフレームシーケンシャル方式或いはサイドバイサイド形式の立体画像である場合を例に挙げて説明したが、本発明はこれに限定されない。例えば、ラインオルタナティブ形式やトップアンドボトム形式等の立体画像データが入力画像データＳ１として入力される場合も本発明を適用することが可能である。
【００５７】
また、本発明の表示装置は、スクリーンＳＣに映像を投射するプロジェクターに限定されず、液晶表示パネルに画像／映像を表示する液晶モニターまたは液晶テレビ、或いは、ＰＤＰ（プラズマディスプレイパネル）に画像／映像を表示するモニター装置またはテレビ受像機、ＯＬＥＤ（Ｏｒｇａｎｉｃ  ｌｉｇｈｔ−ｅｍｉｔｔｉｎｇ  ｄｉｏｄｅ）、ＯＥＬ（Ｏｒｇａｎｉｃ  Ｅｌｅｃｔｒｏ−Ｌｕｍｉｎｅｓｃｅｎｃｅ）等と呼ばれる有機ＥＬ表示パネルに画像／映像を表示するモニター装置またはテレビ受像機等の自発光型の表示装置など、各種の表示装置も本発明の画像表示装置に含まれる。この場合、液晶表示パネル、プラズマディスプレイパネル、有機ＥＬ表示パネルが表示手段に相当する。
【００５８】
また、図１、図２、図６〜図８の各図に示したプロジェクター１の各機能部は、プロジェクター１の機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１の具体的な細部構成についても、本発明の趣旨を逸脱しない範囲で任意に変更可能である。
【符号の説明】
【００５９】
１…プロジェクター（表示装置）、１０…制御部、１１…ＲＡＭ（メモリー）、１５、１５Ａ〜１５Ｃ…表示処理部（画像処理手段）、２１、２１Ａ、２１Ｂ…画像出力部（画像出力手段）、２２、２３、２４…画像バッファー（バッファー）、２５…ＯＳＤ読出部、２６…拡大処理部、２７…ＯＳＤ画像バッファー、２９…バッファー制御部、３０、３０Ａ…画像処理部（画像処理手段）、３１、３２、３４…合成処理部（合成処理手段）、３５…位置決定部（位置決定手段）、３６、３７…レジスター、４０…表示部（表示手段）、４１…照明光学系、４２…光変調装置、４３…投射光学系、ＳＣ…スクリーン。
【図１】
2013251593.tif 000003
【図２】
2013251593.tif 000004
【図３】
2013251593.tif 000005
【図４】
2013251593.tif 000006
【図５】
2013251593.tif 000007
【図６】
2013251593.tif 000008
【図７】
2013251593.tif 000009
【図８】
2013251593.tif 000010